(57)【要約】【課題】本発明は、改質ガスの冷却およびＣＯ除去装置が不要で、且つ電池の劣化を防止できる燃料電池発電装置を提供することを目的とする。【解決手段】２００〜３３０℃で改質反応を発生させ、炭化水素系燃料から水素を生成させる改質器３５と、該改質器３５で生成される改質ガスが直接導入され、該改質ガスを利用して、１５０℃以上、改質温度以下の温度で、発電するセルスタック３９を具備することを特徴とする。【選択図】図１
2004296275.tif 000002
【特許請求の範囲】
【請求項１】
２００〜３３０℃で改質反応を発生させ、炭化水素系燃料から水素を生成させる改質器と、該改質器で生成される改質ガスが直接導入され、該改質ガスを利用して、１５０℃以上、改質温度以下の温度で、発電するセルスタックを具備することを特徴とする発電装置。
【請求項２】
改質器は、改質触媒を担持する改質流路を有しており、該改質流路の断面積が０．０９ｍｍ２以下であることを特徴とする請求項１記載の発電装置。
【請求項３】
セルスタックに用いられる電解質が、無機電解質であること特徴とする請求項１又は２記載の発電装置。
【請求項４】
無機電解質が、Ｐ２Ｏ５、ＳｉＯ２、ＺｒＯ２を主成分とする多孔体であることを特徴とする請求項３記載の発電装置。
【請求項５】
セルスタックに用いられる電解質が、有機／無機複合電解質であることを特徴とする請求項１又は２記載の発電装置。
【請求項６】
有機／無機複合電解質の無機部が、ＳｉＯ２ガラスおよびタングストりん酸を主成分とすることを特徴とする請求項５記載の発電装置。
【請求項７】
セルスタックに用いられる電解質が、りん酸を含有するポリベンジイミダゾールを主成分とする高分子固体電解質であることを特徴とする請求項１又は２記載の発電装置。
【請求項８】
炭化水素系燃料がジメチルエーテルであることを特徴とする請求項１乃至７のうちいずれかに記載の発電装置。
【請求項９】
携帯機器の電源として用いられることを特徴とする請求項１乃至８のうちいずれかに記載の発電装置。
【発明の詳細な説明】
【０００１】
【発明の属する技術分野】
本発明は、発電装置に係り、詳しくは炭化水素系燃料から水素を生成して、この水素を燃料として作動する発電装置に関するものである。
【０００２】
【従来技術】
従来から、一般家庭用、自動車用、特に携帯機器電源用として、発電温度が１００℃付近の燃料電池の開発が進められている。特に、固体高分子電解質を用いた燃料電池は低温域での発電特性に優れており注目されている。例えば、スルホン酸基をイオン交換基としたフッ素系高分子に代表される固体高分子電解質は、１１０℃の耐熱温度を有し、室温でも発電可能であると報告されている。
【０００３】
また、燃料電池セルへの燃料供給方法が種々検討されているが、主に、水素を燃料とする水素燃料電池、炭化水素系燃料を水素に改質し、生成した水素を燃料とする改質型燃料電池、および炭化水素系燃料を直接燃料とする、例えば、ダイレクトメタノール燃料電池に分類される。
【０００４】
上記水素燃料電池は発電効率が高く、いち早く実用化されたが、燃料の貯蔵と移送が難しく、高圧容器、液化水素容器等を利用するため、体積あたりもしくは重量あたりのエネルギー密度が低く、特に車載用および携帯機器用電源などの小型化、軽量化が要求される用途には適していない。
【０００５】
そのため、これらの用途に関しては、燃料として貯蔵、補充、充填が容易にできる液化ガスやアルコールを利用でき、燃料供給装置の小型化が可能な燃料改質型燃料電池やダイレクトメタノール燃料電池に期待が寄せられている。
【０００６】
炭化水素系燃料を直接燃料とするダイレクトメタノール燃料電池では、液体燃料のクロースオーバーおよび燃料と接触することにより電解質が劣化するという問題が実用化を阻害している。
【０００７】
一方、従来の燃料改質型燃料電池は、図５に示すように、燃料タンク１が燃料配管３を介して、改質装置５ａ、ＣＯ変性装置５ｂ、ＣＯ選択酸化装置５ｃとからなる改質器５の改質装置５ａと接続されている。この改質器５のＣＯ選択酸化装置５ｃには、酸素含有ガス配管７を介してブロアー９が接続され、改質ガス配管１１を介してセルスタック１３が接続されている。このセルスタック１３には、酸素含有ガス供給配管１５を介してブロア１７が接続され、排気ガス配管１９が接続されている。
【０００８】
また、セルスタック１３が１００℃程度の温度で運転される場合には、セルスタック１３と改質器５の間には改質ガスを冷却するための冷却器２０が挿入される。
【０００９】
従来の燃料改質型燃料電池では、ブロアー１７から酸素含有ガスをセルスタック１３に供給し、燃料タンク１から改質器５に供給された燃料を、改質器５で改質して燃料から水素を製造し、必要に応じ、改質ガスを冷却するなどしてセルスタック１３に供給し、発電を行う。
【００１０】
このような燃料改質型燃料電池では、燃料として、液体もしくは液化ガスである炭化水素、アルコール、エーテルなどを用いることができ、簡易なシール容器が利用できることから、体積あたりもしくは重量あたりのエネルギー密度は高いものの、炭化水素燃料を水素に変化させる触媒の反応効率を高めるために、通常、触媒を３５０℃以上の温度に加熱する必要がある。
【００１１】
従って、改質器５の作動温度および流路設計により変動するものの、改質器５によって生成した改質ガスは、おおよそ、２００℃前後の高温となる。また、改質ガスには、セルスタック１３の触媒特性を低下させるＣＯ成分が一部含まれている。そのため、改質ガスの温度は、固体高分子電解質にとっては性能が劣化するほど高温であり、ガスを冷却したとしても、セルスタックの特性を劣化させるＣＯを含有することから、改質ガスをセルスタック１３に供給する前に、冷却する冷却装置２０と、ＣＯを除去するＣＯ除去装置５ｂ、５ｃを備えることが必須とされ、装置が複雑になるという問題があった。
【００１２】
このような問題を解決するために、２００℃付近の高温で使用可能であり、ＣＯによる触媒被毒を抑制可能なポリベンジイミダゾール型固体高分子電解質が報告されている（特許文献１参照）。
【００１３】
【特許文献１】
米国特許第６０９９９８８号公報
【００１４】
【発明が解決しようとする課題】
しかしながら、ポリベンジイミダゾール型の固体高分子電解質は高温で使用可能であり、ＣＯによる触媒被毒を抑制する効果があるものの、ＣＯ濃度が０．５％以上の改質ガスで使用する場合は、触媒の劣化が避けられず、長時間使用できないという問題がある。また、ポリベンジイミダゾール型固体高分子電解質では、従来用いられていたフッ素系高分子電解質に比べ、燃料が電解質を透過し発電性能が劣化するという燃料のクロースオーバーは改善されるものの、完全に抑制するには至っていない。
【００１５】
本発明は、改質ガスの冷却およびＣＯ除去装置が不要で、且つ発電性能の劣化を防止できる燃料電池発電装置を提供することを目的とする。
【００１６】
【課題を達成するための手段】
本発明の発電装置は、２００〜３３０℃で改質反応を発生させ、炭化水素系燃料から水素を生成させる改質器と、該改質器で生成される改質ガスが直接導入され、該改質ガスを利用して、１５０℃以上、改質温度以下の温度で、発電するセルスタックを具備することを特徴とする。
【００１７】
このような発電装置では、通常、３５０℃以上で行われる改質反応を２００〜３３０℃の温度範囲で行うことにより、改質の際のＣＯの発生を抑制できる。また、セルスタックの稼働温度を１５０℃以上とすることで、仮に、改質ガスにＣＯが含有されていたとしても、燃料電池セルの電極触媒へのＣＯ吸着を防ぐことができるため、高温改質ガスを、冷却処理装置およびＣＯの除去装置を経由せずに、直接セルスタックに供給することが可能となり、エネルギー密度が高く、構造が簡単で、コンパクトな発電装置を実現できる。
【００１８】
また、本発明の発電装置は、改質器は、改質触媒を担持する改質流路を有しており、該改質流路の断面積が０．０９ｍｍ２以下であることを特徴とする。これにより、燃料ガスと改質触媒の接触性が向上するため、改質温度を大幅に低温化でき、２００〜３３０℃の温度範囲でも改質反応を高効率に行うことができ、ＣＯの発生を大幅に減少できるとともに、改質ガスを冷却する必要がないために、冷却処理装置およびＣＯの除去装置を経由せずに、改質ガスを直接セルスタックに供給することが可能となる。
【００１９】
また、本発明の発電装置は、セルスタックに用いられる電解質が、無機電解質であること特徴とする。このようにセルスタックに用いられる電解質を耐熱性に優れる無機電解質とすることで、１５０℃〜３３０℃の温度範囲の改質ガスを冷却せずに、セルスタックに供給することができ、装置の簡略化と、小型化を達成できる。また、１５０℃〜３３０℃の温度範囲の改質ガスを用いることにより、燃料電池セルの電極触媒へのＣＯ吸着を防ぐことができるため、電極触媒の被毒による劣化を抑制でき、燃料電池セルの特性劣化を抑制することができる。
【００２０】
また、本発明の発電装置は、無機電解質が、Ｐ２Ｏ５、ＳｉＯ２、ＺｒＯ２を主成分とする多孔体であることを特徴とする。この多孔体電解質は、耐熱性に優れ、２５０℃でも高い導電性を有するため、高効率の発電装置を実現できるとともに、改質ガスを冷却する必要がないため、装置の簡略化、小型化ができる。
【００２１】
また、本発明の発電装置は、セルスタックに用いられる電解質が、有機／無機複合電解質であることを特徴とする。有機／無機複合電解質は耐熱性、導電性とハンドリング性がともに優れており、改質ガスを冷却する必要がなく、装置の簡略化、小型化ができるとともに、組み立て性、メンテナンス性を向上させることができる。
【００２２】
また、本発明の発電装置は、有機／無機複合電解質の無機部がＳｉＯ２ガラス及びタングストりん酸からなることを特徴とする。無機部がＳｉＯ２ガラス及びタングストりん酸からなる有機／無機複合電解質はイオン導電性が高く、優れた発電性能を有しており、本発明の発電装置に好適に使用される。
【００２３】
また、本発明の発電装置は、セルスタックに用いられる電解質が、りん酸を含有するポリベンジイミダゾールが主成分である高分子固体電解質であることを特徴とする。本発明において、燃料改質処理の温度が２００℃付近と低くなる場合は、耐熱性、高イオン伝導性の高分子固体電解質が適用され、特にりん酸を含有するポリベンジイミダゾールが主成分である高分子固体電解質を用いた場合には、発電装置の効率と信頼性を一段と向上させることができる。
【００２４】
また、本発明の発電装置は、炭化水素系燃料がジメチルエーテルであることを特徴とする。このジメチルエーテルは、常温で数気圧の圧力で液化でき、燃料の体積を減少させることができ、エネルギー密度を高めることができるとともに、燃料気化装置などが簡便なものとなるため、燃料供給装置を簡略化することができる。
【００２５】
以上説明した本発明の発電装置は、構造が簡単で、小型化が容易に実現できることから、特にノート型パソコン、携帯電話、携帯データ処理機器等の携帯機器の電源として特に好適に用いられる。
【００２６】
【発明の実施の形態】
本発明の発電装置は、図１に示すように、燃料タンク３１が、燃料配管３３を介して改質器３５と接続され、この改質器３５には、改質ガス配管３７を介して燃料電池セルを具備するセルスタック３９が接続されている。また、このセルスタック３９には、酸素含有ガス配管４１を介してブロアー４３が接続され、また、排気ガス配管４５が接続されている。
【００２７】
このような発電装置では、燃料タンク３１から改質器３５へ燃料が供給され、改質器３５で燃料は水素を含有する改質ガスへと改質され、セルスタック３９に供給される。また、同時にブロア４３から、セルスタック４３に酸素含有ガスが供給され、前記改質ガスと、燃料電池セルを介して、電気化学反応を起こし、発電する。
【００２８】
このような発電装置において、燃料タンク３１は、燃料を貯蔵し、必要に応じ、改質器３５に燃料を供給するものであり、燃料としては、種々の炭化水素化合物および炭素、水素と酸素から構成される種々の有機化合物、例えば、メタン、メタノール、ジメチルエーテルなどが用いられる。
【００２９】
前記改質器３５は、詳細に説明すると、図２に示すように、例えば、基体５１中に加熱用ヒーター５３と、改質触媒５５が充填された改質流路５７とを具備して構成される。この改質流路５３の燃料タンク３１側の端部には、燃料導入口５７ａが形成され、また、他方の端部には、改質ガス排出口５７ｂが形成されている。
【００３０】
改質器３５は、燃料タンク３１から供給された燃料を改質し、水素を含む改質ガスを生成するものである。例えば、燃料導入口５７ａから導入された燃料は、基体５１内に形成された折り返し形状の改質流路５７内を、改質ガス排出口５７ｂ側に流通する。その間に、燃料は改質流路５７内に充填された改質触媒５５と接触し、改質反応が起こり、水素が生成される。改質流路５７内で生成した水素を含む改質ガスは、改質ガス排出口５７ｂから排出され、セルスタック３９へと供給される。
【００３１】
改質に際して、燃料を触媒反応により水素に改質する反応は、水蒸気改質を行う場合、吸熱反応であるため、改質器３５を加熱する必要がある。基体５１内に設けられた加熱用ヒーター５３は抵抗体からなり、加熱用ヒーター５３に電流を流すことで、改質器３５を効率よく加熱することができる。
【００３２】
このような改質器３５の温度は、水素生成効率の向上と、ＣＯの生成抑制の点から、２００〜３３０℃の温度範囲に制御することが必要である。特に２００〜３００℃、更には２５０〜３００℃の温度範囲に制御することが望ましく、この温度範囲に改質器３５の温度を制御することで、水素を高い効率で生成できるとともに、ＣＯの生成を抑制することができる。
【００３３】
通常、改質器３５の温度を３３０℃以下にした場合、改質効率が低下するが、改質器３５の改質触媒５５を充填した改質流路５７の断面積を０．０９ｍｍ２以下にすることで、改質流路５７の経路が長くなるため、燃料と触媒の接触性が大きくなり、改質器３５の温度を３３０℃以下にした場合でも高い改質効率を維持できる。
【００３４】
なお、改質効率を更に改善する、あるいは、同じ改質効率を維持しながら改質温度を下げ、ＣＯの生成量を減少することができるという点から、改質流路５７の断面積は特に０．０４ｍｍ２以下、さらには、０．０１ｍｍ２以下であることが好ましい。
【００３５】
また、反応効率を向上させるために、上記触媒の比表面積は１００ｍ２／ｇ以上であることが好ましい。
【００３６】
本発明の発電装置では、簡略化と小型化を図るために、改質器３５で改質された改質ガスをＣＯ除去装置並びに冷却装置を経由せずにセルスタック３７に供給することを特徴とする。
【００３７】
そのために、セルスタック３７は、１５０℃以上の温度で発電可能なことが必要である。言い換えると、ＣＯを含有する１５０℃以上の高温の改質ガスを供給されても、発電可能であることが求められる。なお、このような耐熱性を有するセルスタック３７では、高温で発電することにより、燃料ガス中に含まれる微量のＣＯが触媒に吸着しにくくなり、触媒被毒を抑えることができる。そのため、セルスタック３７は、耐熱性と触媒被毒のバランスをはかるという点から、特に１５０〜２２０℃、更には１７０〜２００℃で稼動することが望ましい。
【００３８】
以上説明したように、本発明の発電装置は、２００〜３３０℃の温度範囲で改質を行うとともに、１５０℃以上の温度で発電する必要がある。
【００３９】
しかしながら、市販のフッ素系高分子電解質は上記温度範囲で使用できないため、本発明によれば、セルスタック３７に耐熱性が高い無機系電解質あるいは有機／無機複合電解質あるいは耐熱性高分子電解質を用いることが望ましい。
【００４０】
前記の３種の電解質の中で最も耐熱性が高く、高温での稼働が可能である点から、電解質として、前記無機電解質を用いることが望ましい。例えば、Ｐ２Ｏ５−ＳｉＯ２系多孔体が、高いイオン伝導性で知られ好適に使用される。さらに、Ｐ２Ｏ５−ＳｉＯ２系多孔体にＺｒＯ２を添加することでＰ２Ｏ５−ＳｉＯ２系ガラス電解質の耐水性並びに電解質中に含まれるＰの安定性が著しく向上し、電解質の特性劣化を防止できることから、電解質としてＰ２Ｏ５−ＳｉＯ２−ＺｒＯ２系多孔体を用いることが、特に望ましい。
【００４１】
また、電解質として前記有機／無機複合電解質を用いる場合には、有機部として種々のポリマー、例えば、ポリエチレンオキシド、ポリプロピレンオキシド、ポリテトラメチレンオキシドから選ばれた任一の化合物と、無機部としてＳｉＯ２ガラスとＨ３（ＰＯ４Ｗ１２Ｏ３６）あるいはＨ３（ＰＯ４Ｍｏ１２Ｏ３６）などの固体酸とから合成されたものは、１０−３Ｓ／ｃｍ以上の導電性と２５０℃以上の耐熱性を有しており、特に望ましい。また、有機／無機複合電解質は、ハンドリング性にも優れていることから、３種の中では、ハンドリング性と発電能力のバランスが最もよい。
【００４２】
さらに、耐熱性高分子固体電解質として、特に、りんが添加されたポリベンジイミダゾールを主成分とする電解質を用いることが望ましい。このような高分子固体電解質材料は２００℃以上の耐熱性を有するとともに、低湿度下で高いイオン伝導性を示すため、１５０℃以上の高温で稼動するセルスタックにとって好適である。特に、耐熱性高分子固体電解質は３種の中で、最も、生産性に優れ、ハンドリング性も優れている。
【００４３】
また、本発明の発電装置に用いられる炭化水素系燃料は、種々の炭化水素化合物および炭素、水素と酸素から構成される種々の有機化合物から選ばれた一種類以上のものから構成されたものを意味し、上記燃料は通常は液相或いは気相のいずれかの状態で存在するものである。
【００４４】
気相の原料、例えばメタンガス、プロパンガスなどは改質器３５に供給しやすいが、体積当たりのエネルギー密度が低いという問題があり、また、液相化させるためには高圧容器が必要とされる。一方、メタノール、エタノールなどの液相原料は、原料を安定に改質器３５に供給するために、加熱により気相化するか、ポンプにより駆動する必要があり、装置が複雑になる。
【００４５】
上記の問題を解決するために、前記炭化水素系燃料として、数気圧で液相化可能なジメチルエーテルを使用することが特に望ましい。ジメチルエーテルを使用する場合は、簡単な容器に数気圧加圧で液相化された燃料を封入し、バルブの開閉を制御するだけで改質器３５に供給できるため、装置の簡略化、小型化の点で、特に望ましい。
【００４６】
以上説明した本発明の発電装置は、事業所、家庭の電源に使用される定置式、電気自動車などに使用される車載式および携帯機器電源に使用される携帯式に好適に適用される。
【００４７】
中でも、本発明により得られる装置の簡略化効果を活かして従来の装置よりも小型化を可能にしたことで、ノート式パソコン、携帯電話、その他携帯端末などの電源に特に好適に利用される。
【００４８】
なお、以上説明した例では、改質器３５の改質流路３７に改質触媒５５を均一に充填したが、例えば、改質流路５７の壁面のみに付着するように形成されてもよく、この場合には、ガス流体の圧損が小さくなることから、より望ましい。
【００４９】
【実施例】
改質器の作製
先ず、Ａｌ２Ｏ３粉末と有機バインダー、溶剤とからスラリーを作製し、このスラリーを用いて、ドクターブレード法によりアルミナグリーンシートを作製した。
【００５０】
次に、図３に示すようにアルミナグリーンシート６１ａ表面に抵抗体ペーストを用いて、印刷法によりヒーターパターン６３を形成した。また、レーザー加工機を用いて、アルミナグリーンシート６１ｃに所定の流路６５を形成した。なお、流路６５は、例えばパンチングなどの手法で形成してもよい。
【００５１】
次に、図４（ａ）に示すように、これらのグリーンシート６１ａ、６１ｂ、６１ｃを積層し、焼成して、加熱用ヒーター５３と改質流路５７が形成された積層焼結体を得た。
【００５２】
次に、図４（ｂ）に示すように、この改質流路５７にＣｕ−ＺｎＯ−Ａｌ２Ｏ３系触媒を溶液で充填し、凍結乾燥し、４００℃での焼成を行い、改質流路５７内に改質触媒５５を充填した。さらに、図４（ｃ）に示すように、改質触媒５５を充填した積層焼結体とアルミナの蓋状部材５９とを張り合わせ、改質器３５を作製した。
【００５３】
得られた積層焼結体に形成された改質流路５７の断面積を表２に示す。また、改質流路５７の長さは、改質流路５７の容積が０．０５〜０．１ｃｍ３になるように設計した。
【００５４】
無機電解質の作製
先ず、Ｓｉアルコキシド、Ｚｒアルコキシド、有機りん化合物を用いて焼成後の組成が表１に示す組成となるような複合ゾルを作製した。そして、ポリプロピレン製の基板にゾルを塗布し、乾燥を経て３００℃で２時間焼成して直径５０ｍｍ、厚さ０．０３ｍｍの試料Ｎｏ．１〜８の無機電解質を得た。
【００５５】
有機／無機複合電解質作製
表１に示す組成となるようなタングストりん酸／テトラエトキシシラン／ポリテトラエチレンオキシドの混合ゾルを作製し、平面ガラス基板に塗布した。乾燥処理を経て最終１６０℃で３時間アニール処理後直径５０ｍｍ、厚さ０．０２ｍｍの試料Ｎｏ．９〜１２の有機／無機複合電解質膜を得た。
【００５６】
高分子電解質の作製
トリフルオロ酢酸に市販のポリベンジイミドを溶かしてゾルを作製し、さらにりん酸をポリベンジイミダゾールに添加して、表１に示す組成となるように混合した。ガラス容器にキャスト成形し、乾燥および２００℃熱処理後直径５０ｍｍ、厚さ０．１ｍｍの試料Ｎｏ．１３〜１７の高分子電解質膜を得た。
【００５７】
燃料電池セルの作製
作製したこれらの電解質の両面にカーボンブラックに担持されたＰｔ触媒を塗布し、さらに、その表面に銀ペスートを網状に印刷して電極とし、さらに、両サイドにそれぞれに改質で得た燃料ガスと空気を流す流路を設け燃料電池セルを作製した。なお、作製した電解質の組成を表１に示す。
【００５８】
発電装置の稼動試験
燃料にジメチルエーテルを用い、水バブリングにより水蒸気と混合後、ヒーターにより、表２に示す温度に加熱された改質器３５を通過させた。改質器３５から排出された改質ガスをサンプリング成分分析して改質効率を計算した。改質効率とガス中のＣＯ含有量を表１に示す。改質器３５とセルスタック３９とをステンレスチューブでつなぎ、改質ガスをセルスタック３９に供給した。同時にセルスタック３９に酸素含有ガスを供給し、電流源および電圧計をセルスタック３７に接続して、最大出力条件で１０ｈ測定した。出力密度と特性劣化率を表２に示した。なお、改質、発電に際しては改質器３５の温度、燃料電池セルの発電部の温度を表２に示すように変化させた。
【００５９】
【表１】
2004296275.tif 000003
【００６０】
【表２】
2004296275.tif 000004
【００６１】
表１、２より判るように、本発明の試料２〜６、１０〜１２、１４〜１７は、改質反応を２００〜３３０℃の温度範囲で行うことにより、ガス中のＣＯ量を低減でき、また、１５０℃以上、改質温度以下の温度範囲で発電を行うことにより、燃料電池セルの触媒電極へのＣＯ吸着を抑制することができ、出力密度が１２０ｍＷ／ｃｍ２以上、１０ｈ稼動の劣化率が０．４％以下と優れた特性を示した。
【００６２】
一方、本発明の範囲外である試料Ｎｏ．１は改質器３５の温度が１８０℃であり、２００℃未満であったため、改質効率が８３％と低くなり、出力密度も低かった。また、本発明の範囲外である試料Ｎｏ．９、１３は、発電温度が低いため、出力密度が低く、また、ＣＯが燃料電池セルの触媒電極へ吸着したため、劣化の進行が速かった。さらに、本発明の範囲外である試料Ｎｏ．７は、発電温度が低いため、初期の出力密度は高くなったものの、劣化率が大きく、実用に適さない。
【００６３】
【発明の効果】本発明の発電装置では、燃料電池型発電装置において、改質反応の温度を２００〜３３０℃に制御し、発電反応の温度を１５０℃以上、改質反応温度以下に制御することで、改質効率の向上と、ＣＯ発生の抑制が可能となり、加熱された改質ガスを直接セルスタックに導入でき、冷却装置やＣＯ除去装置が不要となることから、コンパクトな発電装置を提供できる。
【図面の簡単な説明】
【図１】本発明の発電装置を示す模式図である。
【図２】本発明の発電装置に用いる改質器を示す縦断面図である。
【図３】本発明の発電装置に用いる改質器の作製方法を示す模式図である。
【図４】本発明の発電装置に用いる改質器の作製方法と構造を示す断面図である。
【図５】従来の発電装置を示す模式図である。
【符号の説明】
３５・・・改質器
３９・・・セルスタック
５５・・・改質触媒
５７・・・改質流路
【図１】
2004296275.tif 000005
【図２】
2004296275.tif 000006
【図３】
2004296275.tif 000007
【図４】
2004296275.tif 000008
【図５】
2004296275.tif 000009